(57)【要約】【課題】            広告対象のサービス又は商品に対するユーザの想起率を向上させることに寄与するサーバ装置及び端末装置を提供すること。【解決手段】        一実施形態に係るサーバ装置は、ユーザと通信回線を介して通信可能なサーバ装置であって、サービス又は商品を想起させる単語又は文章に関連した１又は複数のタスクを１又は複数の特定の時間に実行することを前記ユーザに指示する指示メッセージを生成するメッセージ生成手段と、前記指示メッセージを前記通信回線を介して前記ユーザに提示するメッセージ提示手段と、を具備する。【選択図】          図５
2016057744.tif 000002
【特許請求の範囲】
【請求項１】
ユーザと通信回線を介して通信可能なサーバ装置であって、
サービス又は商品を想起させる単語又は文章に関連した１又は複数のタスクを１又は複数の特定の時間に実行することを前記ユーザに指示する指示メッセージを生成するメッセージ生成手段と、
前記指示メッセージを前記通信回線を介して前記ユーザに提示するメッセージ提示手段と、
を具備することを特徴とするサーバ装置。
【請求項２】
前記タスクが前記特定の時間に前記ユーザにより実行されたか否かを判定する判定手段をさらに具備する請求項１に記載のサーバ装置。
【請求項３】
前記タスクが前記特定の時間に前記ユーザにより実行された場合に前記通信回線を介して該ユーザに対して付加的な情報を提供する情報提供手段をさらに具備する請求項１又は請求項２に記載のサーバ装置。
【請求項４】
前記情報提供手段は、前記タスクが前記特定の時間以外の時間に前記ユーザにより実行された場合に、前記付加的な情報よりも低い価値を有する付加的な情報を前記ユーザに提供する請求項３に記載のサーバ装置。
【請求項５】
前記特定の時間は、特定の時間帯、特定の日付、及び、特定の日時のうちの少なくとも一方である、請求項１から請求項４のいずれかに記載のサーバ装置。
【請求項６】
前記情報提供手段は、前記ユーザにより前記複数の特定の時間のうちより遅い特定の時間に前記タスクが実行された場合に、より高い価値を有する前記付加的な情報を前記ユーザに提供する、請求項１から請求項５のいずれかに記載のサーバ装置。
【請求項７】
前記タスクは、前記ユーザが前記指示メッセージに含まれた前記サービス又は商品を想起させる単語又は文章を端末装置のユーザインターフェイスを介して入力する動作を含む、請求項１から請求項６のいずれかに記載のサーバ装置。
【請求項８】
前記付加的な情報を提供することは、前記ユーザに対してコンテンツを送信することを含む、請求項１から請求項７のいずれかに記載のサーバ装置。
【請求項９】
前記指示メッセージは、前記タスクを識別する情報、及び、前記特定の時間を識別する情報を含む、請求項１から請求項８のいずれかに記載のサーバ装置。
【請求項１０】
前記ユーザにより選択された前記タスクを識別する情報を該ユーザから受信する通信手段をさらに具備し、
前記判定手段は、前記タスクを識別する情報を用いて、前記ユーザにより選択された前記タスクが前記特定の時間に該ユーザにより実行されたか否かを判定する、請求項１から請求項８のいずれかに記載のサーバ装置。
【請求項１１】
通信回線を介した通信を実行可能な端末装置であって、
サービス又は商品を想起させる単語又は文章に関連した１又は複数のタスクを１つ又は複数の特定の時間に実行することを前記ユーザに指示する指示メッセージを、前記通信回線を介して受信するメッセージ受信手段と、
前記指示メッセージを前記ユーザに提示するメッセージ提示手段と、
を具備することを特徴とする端末装置。
【請求項１２】
コンピュータを、
サービス又は商品を想起させる単語又は文章に関連した１又は複数のタスクを１又は複数の特定の時間に実行することをユーザに指示する指示メッセージを生成するメッセージ生成手段、及び、
前記指示メッセージを通信回線を介して前記ユーザに提示するメッセージ提示手段、
として機能させることを特徴とするコンピュータプログラム。
【請求項１３】
コンピュータを、
サービス又は商品を想起させる単語又は文章に関連した１又は複数のタスクを１つ又は複数の特定の時間に実行することをユーザに指示する指示メッセージを、通信回線を介して受信するメッセージ受信手段、及び、
前記指示メッセージを前記ユーザに提示するメッセージ提示手段、
として機能させることを特徴とするコンピュータプログラム。
【請求項１４】
サービス又は商品を想起させる単語又は文章に関連した１又は複数のタスクを１又は複数の特定の時間に実行することをユーザに指示する指示メッセージを生成する段階と、
前記指示メッセージを通信回線を介して前記ユーザに提示する段階と、
を含むことを特徴とする方法。
【請求項１５】
サービス又は商品を想起させる単語又は文章に関連した１又は複数のタスクを１つ又は複数の特定の時間に実行することをユーザに指示する指示メッセージを、通信回線を介して受信する段階と、
前記指示メッセージを前記ユーザに提示する段階と、
を含むことを特徴とする方法。
【発明の詳細な説明】
【技術分野】
【０００１】
本発明は、ユーザに対してサービス又は商品に関する広告を提供するために用いられるサーバ装置及び端末装置に関する。
【背景技術】
【０００２】
広告対象のサービス又は商品をユーザに想起させるために用いられるサービスとして「アイコトバ」というサービスが知られている（非特許文献１）。このサービスでは、ユーザは、特定のウェブサイト又はアプリケーションにおいて、広告対象のサービス又は商品に関連したキーワードを入力することにより、割引率の高いクーポンを入手することができる。このように、ユーザに対して広告対象のサービス又は商品に関連したキーワードを実際に使用させることにより、ユーザにそのサービス又は商品を想起させる確率（すなわち、想起率）を高めることができる。
【先行技術文献】
【非特許文献】
【０００３】
【非特許文献１】”アイコトバ”、[online]、平成２３年９月１日、株式会社アイコトバ、［平成２６年８月２９日検索］、インターネット<URL:http://icotoba.co.jp/service/>
【発明の概要】
【発明が解決しようとする課題】
【０００４】
しかしながら、昨今、さらに効果的にユーザに広告対象のサービス又は商品を想起させることが可能な手法が必要とされている。
そこで、本発明の様々な実施形態により、広告対象のサービス又は商品に対するユーザの想起率を向上させることに寄与するサーバ装置及び端末装置を提供する。
【課題を解決するための手段】
【０００５】
本発明の一態様に係るサーバ装置は、ユーザと通信回線を介して通信可能なサーバ装置であって、サービス又は商品を想起させる単語又は文章に関連した１又は複数のタスクを１又は複数の特定の時間に実行することを前記ユーザに指示する指示メッセージを生成するメッセージ生成手段と、前記指示メッセージを前記通信回線を介して前記ユーザに提示するメッセージ提示手段と、を具備するものである。
本発明の一態様に係る端末装置は、通信回線を介した通信を実行可能な端末装置であって、サービス又は商品を想起させる単語又は文章に関連した１又は複数のタスクを１つ又は複数の特定の時間に実行することを前記ユーザに指示する指示メッセージを、前記通信回線を介して受信するメッセージ受信手段と、前記指示メッセージを前記ユーザに提示するメッセージ提示手段と、を具備するものである。
本発明の一態様に係るコンピュータプログラムは、コンピュータを、サービス又は商品を想起させる単語又は文章に関連した１又は複数のタスクを１又は複数の特定の時間に実行することをユーザに指示する指示メッセージを生成するメッセージ生成手段、及び、前記指示メッセージを通信回線を介して前記ユーザに提示するメッセージ提示手段、として機能させるものである。
本発明の別の態様に係るコンピュータプログラムは、コンピュータを、サービス又は商品を想起させる単語又は文章に関連した１又は複数のタスクを１つ又は複数の特定の時間に実行することをユーザに指示する指示メッセージを、通信回線を介して受信するメッセージ受信手段、及び、前記指示メッセージを前記ユーザに提示するメッセージ提示手段、
として機能させるものである。
本発明の一態様に係る方法は、サービス又は商品を想起させる単語又は文章に関連した１又は複数のタスクを１又は複数の特定の時間に実行することをユーザに指示する指示メッセージを生成する段階と、前記指示メッセージを通信回線を介して前記ユーザに提示する段階と、を含むものである。
本発明の別の態様に係る方法は、サービス又は商品を想起させる単語又は文章に関連した１又は複数のタスクを１つ又は複数の特定の時間に実行することをユーザに指示する指示メッセージを、通信回線を介して受信する段階と、前記指示メッセージを前記ユーザに提示する段階と、を含むものである。
【発明の効果】
【０００６】
本発明の様々な実施形態によれば、広告対象のサービス又は商品に対するユーザの想起率を向上させることに寄与するサーバ装置及び端末装置を提供することができる。
【図面の簡単な説明】
【０００７】
【図１】図１は、本発明の一実施形態に係る広告サービスを提供する広告システムを概略的に示すブロック図である。
【図２】図２は、本発明の一実施形態に係る端末装置３０のアーキテクチャを概念的に示すブロック図である。
【図３】図３は、図１に示した構成を有するサーバ装置１０により実現される機能を示すブロック図である。
【図４】図４は、図２に示した構成を有する端末装置３０により実現される機能を示すブロック図である。
【図５】図５は、本発明の一実施形態に係る広告システムにより実行される広告サービスの具体例を示すフロー図である。
【図６】図６は、本発明の一実施形態に係るサーバ装置より提供されるウェブサイトの一例を示す模式図である。
【図７】図７は、本発明の一実施形態に係るサーバ装置より提供されるウェブサイトの一例を示す模式図である。
【図８】図８は、本発明の一実施形態に係るサーバ装置より提供されるウェブサイトの一例を示す模式図である。
【図９】図９は、本発明の一実施形態に係るサーバ装置より提供されるウェブサイトの一例を示す模式図である。
【図１０】図１０は、本発明の一実施形態に係るサーバ装置より提供されるウェブサイトの一例を示す模式図である。
【図１１】図１１は、本発明の一実施形態に係る広告システムにより実行される広告サービスの別の具体例を示すフロー図である。
【図１２】図１２は、本発明の一実施形態に係るサーバ装置より提供されるウェブサイトの一例を示す模式図である。
【図１３】図１３は、本発明の一実施形態に係るサーバ装置より提供されるウェブサイトの一例を示す模式図である。
【図１４】図１４は、本発明の一実施形態に係るサーバ装置により提供されるウェブサイトの一例を示す模式図である。
【図１５】図１５は、本発明の一実施形態に係るサーバ装置により提供されるウェブサイトの一例を示す模式図である。
【発明を実施するための形態】
【０００８】
以下、様々な実施形態について適宜図面を参照して説明する。なお、各図面において共通する構成要素には同一の参照符号が付されている。
【０００９】
図１は、本発明の一実施形態に係る広告サービスを提供する広告システムを概略的に示すブロック図である。図１に示すように、本発明の一実施形態に係るサーバ装置１０（以下単に「サーバ装置１０」ということがある。）は、インターネット等の通信網２０を介して、通信機能を備える複数の端末装置３０−１、３０−２、・・・、３０−Ｎ（以下「端末装置３０」と総称することがある。）と通信可能に接続されている。サーバ装置１０は、本発明の一実施形態に係る広告システムの一部又は全部を実装する装置の一例である。
【００１０】
サーバ装置１０は、図示のとおり、ＣＰＵ１１と、メインメモリ１２と、ユーザＩ／Ｆ１３と、通信Ｉ／Ｆ１４と、外部メモリ１５と、ディスクドライブ１６と、を含み、これらの各構成要素がバス１７を介して互いに電気的に接続されている。ＣＰＵ１１は、外部メモリ１５からオペレーティングシステムや広告サービスの進行を制御する様々なプログラムをメインメモリ１２にロードし、ロードしたプログラムに含まれる命令を実行する。メインメモリ１２は、ＣＰＵ１１が実行するプログラムを格納するために用いられ、例えば、ＤＲＡＭによって構成される。
【００１１】
ユーザＩ／Ｆ１３は、例えば、オペレータの入力を受け付けるキーボードやマウス等の情報入力装置と、ＣＰＵ１１の演算結果を出力する液晶ディスプレイ等の情報出力装置と、を含む。通信Ｉ／Ｆ１４は、ハードウェア、ファームウェア、ＴＣＰ／ＩＰドライバやＰＰＰドライバ等の通信用ソフトウェア、又は、これらの組み合わせとして実装され、通信網２０を介して端末装置３０と通信可能に構成される。
【００１２】
外部メモリ１５は、例えば磁気ディスクドライブで構成され、広告サービスの進行を制御するための制御用プログラム等の様々なプログラムが記憶される。また、外部メモリ１５には、広告サービスにおいて用いられる各種データも記憶され得る。
【００１３】
ディスクドライブ１６は、ＣＤ−ＲＯＭ、ＤＶＤ−ＲＯＭ、ＤＶＤ−Ｒ等の各種の記憶メディアに格納されたデータを読み込み、又は、これらの記憶メディアにデータを書き込む。例えば、記憶メディアに格納された広告アプリケーションや広告データ等のデータは、ディスクドライブ１６により読み込まれ、外部メモリ１５にインストールされる。
【００１４】
一実施形態において、サーバ装置１０は、階層構造を有する複数のウェブページから成るウェブサイトを管理するウェブサーバであり、端末装置３０に対して広告サービスを含む各種サービスを提供することができる。端末装置３０に備えられたブラウザソフトウェアは、ウェブページを表示するためのＨＴＭＬデータをサーバ装置１０から取得し、取得したＨＴＭＬデータを解析して、当該ウェブページを端末装置３０のユーザに提示することができる。このウェブページを表示するためのＨＴＭＬデータも外部メモリ１５に記憶され得る。ＨＴＭＬデータは、ＨＴＭＬ等のマークアップ言語で記述されたＨＴＭＬ文書から成り、このＨＴＭＬ文書には、タグを利用して様々な画像が関連付けることができる。また、ＨＴＭＬ文書には、Ａｃｔｉｏｎ ＳｃｒｉｐｔやＪａｖａＳｃｒｉｐｔ（登録商標）等のスクリプト言語等で記述されたプログラムを埋め込むことができる。
【００１５】
このように、サーバ装置１０は、広告サービスを提供するウェブサイトを管理し、当該ウェブサイトを構成するウェブページを端末装置３０からの要求に応じて配信することにより、広告サービスを進行させることができる。サーバ装置１０は、各ユーザを識別する識別情報ごとに広告サービスの進行に必要なデータを記憶することができる。
【００１６】
端末装置３０は、一実施形態において、サーバ装置１０から取得した広告サービス用ウェブサイトのウェブページをウェブブラウザ上で表示することができる任意の情報処理装置であり、例えば、タブレット、携帯電話機、スマートフォン、携帯情報端末、パーソナルコンピュータ、タッチパッド、電子書籍リーダー、及び、テレビ等を含むが、これらには限られない。
【００１７】
端末装置３０のアーキテクチャについて図２を参照して説明する。図２は、本発明の一実施形態に係る端末装置３０のアーキテクチャを概念的に示すブロック図である。端末装置３０は、図示のとおり、ＣＰＵ３１と、メインメモリ３２と、ユーザＩ／Ｆ３３と、通信Ｉ／Ｆ３４と、外部メモリ３５と、を含み、これらの各構成要素がバス３６を介して互いに電気的に接続されている。
【００１８】
ＣＰＵ３１は、外部メモリ３５からオペレーティングシステム等の様々なプログラムをメインメモリ３２にロードし、ロードしたプログラムに含まれる命令を実行する。メインメモリ３２は、ＣＰＵ３１が実行するプログラムを格納するために用いられ、例えば、ＤＲＡＭによって構成される。
【００１９】
ユーザＩ／Ｆ３３は、例えば、ユーザの入力を受け付けるタッチパネル、キーボード、ボタンやマウス等の情報入力装置と、ＣＰＵ３１の演算結果を出力する液晶ディスプレイ等の情報出力装置と、を含む。通信Ｉ／Ｆ３４は、ハードウェア、ファームウェア、又は、ＴＣＰ／ＩＰドライバやＰＰＰドライバ等の通信用ソフトウェア又はこれらの組み合わせとして実装され、通信網２０を介してサーバ装置１０と通信可能に構成される。
外部メモリ３５は、例えば磁気ディスクドライブやフラッシュメモリ等により構成され、オペレーティングシステム等の様々なプログラムを記憶する。
【００２０】
このようなアーキテクチャを有する端末装置３０は、例えば、ＨＴＭＬ形式のファイル（ＨＴＭＬデータ）を解釈して画面表示するためのブラウザソフトウェアを備えており、このブラウザソフトウェアの機能によりサーバ装置１０から取得したＨＴＭＬデータを解釈して、受信したＨＴＭＬデータに対応するウェブページを表示することができる。また、端末装置３０は、ブラウザソフトウェアに組み込まれるプラグインソフト（例えば、アドビシステムズ社から提供されているＦＬＡＳＨ Ｐｌａｙｅｒ）（ＦＬＡＳＨは商標）を備えており、ＨＴＭＬデータに埋め込まれたＳＷＦ形式のファイルをサーバ装置１０から取得し、当該ＳＷＦ形式のファイルをブラウザソフトウェア及びプラグインソフトを用いて実行することができる。
【００２１】
端末装置３０において広告サービスの提供を受けると、例えば、プログラムにより指示されたアニメーションや操作用アイコンが端末装置３０の画面に表示される。ユーザは、端末装置３０の入力インターフェイス（例えば、タッチスクリーンやボタン）を用いて広告サービスを進行させるための指示を入力することができる。ユーザから入力された指示は、端末装置３０のブラウザやＮｇＣｏｒｅ（商標）等のプラットフォームの機能を通じてサーバ装置１０に伝達される。
【００２２】
図３は、図１に示した構成を有するサーバ装置１０により実現される機能を示すブロック図である。図３に示すように、サーバ装置１０は、大まかにいえば、メッセージ生成部１１０と、通信部１２０と、判定部１３０と、情報提供部１４０と、記憶部１５０と、制御部１６０と、を含む。
【００２３】
メッセージ生成部１１０は、広告対象のサービス又は商品を想起させる単語又は文章に関連したタスクを特定の時間に実行することを各ユーザに指示する指示メッセージを生成する。タスクは、１又は複数のタスクを含み、特定の時間は、１又は複数の特定の時間を含む。指示メッセージは、特定の時間を識別する情報、及び、タスクを識別する情報を含むものとすることができる。
【００２４】
通信部１２０は、各ユーザ（そのユーザにより用いられる端末装置３０）との間において、広告サービスの実行に必要とされる様々な情報を送受信する。特に、通信部１２０は、各ユーザ（各端末装置３０）との間において、指示メッセージ及び指示メッセージに関連する情報等を含む様々な情報を送信する。通信部１２０は、この指示メッセージを、ＨＴＭＬデータの一部又は電子メールの一部等の形態により送信することができる。
【００２５】
判定部１３０は、各ユーザについて、指示メッセージに記載されたタスクがその指示メッセージに記載された特定の時間に実行されたか否かを判定する。
情報提供部１４０は、各ユーザに対して、コンテンツ（電子書籍ファイル、音楽ファイル、画像ファイル、ゲームプログラム等の任意のコンテンツ）を送信する。さらに、情報提供部１４０は、指示メッセージに記載されたタスクがその指示メッセージに記載された特定の時間に各ユーザにより実行された場合に、そのユーザに対して報酬として付加的な情報（例えば、特定のコンテンツ等）を送信する。
【００２６】
記憶部１５０は、広告サービスの実行に必要とされる様々な情報を記憶する。例えば、記憶部１５０は、各ユーザについて、そのユーザに固有の情報（例えば、氏名、電子メールアドレスやＭＡＣアドレス等）と、特定のタスクと、特定の時間と、を対応付けて記憶する。
制御部１６０は、上述した各部を制御する。
なお、上述した各部は、図示しない接続線を介して相互に様々な情報をやり取りすることができる。
【００２７】
図４は、図２に示した構成を有する端末装置３０により実現される機能を示すブロック図である。図４に示すように、端末装置３０は、大まかにいえば、通信部３１０と、表示部３２０と、入力部３３０と、記憶部３４０と、制御部３５０と、を含む。
【００２８】
通信部３１０は、サーバ装置１０との間において、広告サービスの提供を受けるのに必要とされる様々な情報を送受信する。特に、通信部３１０は、サーバ装置１０から指示メッセージを受信する。
【００２９】
表示部３２０は、サーバ装置１０から受信した様々な情報（ウェブページ、各種コンテンツ、指示メッセージ及び電子メール等）をユーザに表示する。入力部３３０は、ユーザインターフェイスを介して、ユーザによりキーボートやマウス等の入力装置を用いて入力された情報を取得する。ここで、ユーザインターフェイスとは、ウェブページ、電子メール、ポップアップ、ウィンドウ等において、ユーザによる文字や音声等の入力を可能にするもの全般をいう。
【００３０】
記憶部３４０は、広告サービスの提供を受けるのに必要とされる様々な情報を記憶する。制御部３５０は、上述した各部を制御する。
【００３１】
次に、上述した構成を有する広告システムにより実行される広告サービスの具体例について、さらに図５を参照して説明する。図５は、本発明の一実施形態に係る広告システムにより実行される広告サービスの具体例を示すフロー図である。
なお、ここでは、説明を分かり易くするために、サーバ装置１０が「ＡＭＴ電子書房」という電子書籍を提供するウェブサイトを提供するものであり、広告対象のサービスが「ＡＣＣＥＳＳ電子書房」という電子書籍をユーザに提供するもう１つのサービスである場合について説明する。
【００３２】
まず、ステップ（以下「ＳＴ」という。）５０において、サーバ装置１０は、広告サービスに関する事前準備を実行する。具体的には、サーバ装置１０は、「ＡＭＴ電子書房」のウェブサイトを訪問した各ユーザに実行させるタスクとして、広告対象である「ＡＣＣＥＳＳ電子書房」を想起させるキーワードである「ＡＣＣＥＳＳ」を入力するというタスクを登録し、各ユーザにそのタスクを実行させる特定の時間として「３０秒後」を登録する。これに伴い、サーバ装置１０は、指示メッセージを識別する「指示メッセージ識別情報」と、このように登録したタスクを識別する「タスク識別情報」と、このように登録した特定の時間を識別する「時間識別情報」と、を対応付けて記憶部１５０に記憶する。さらに、サーバ装置１０は、タスク識別情報及び時間識別情報を含む指示メッセージを生成する。
【００３３】
ＳＴ５１において、サーバ装置１０は、「ＡＭＴ電子書房」のウェブサイトを訪問したユーザに対してコンテンツを提供する。例えば、サーバ装置１０は、図６に示すようなコンテンツを提供することができる。図６に示すように、例えば、「武田晴信  第１巻」〜「武田晴信  第３巻」というコンテンツをユーザに提供する。ユーザは、そのユーザの端末装置３０の表示部に表示されたアイコン６２をクリックすることにより、「武田晴信  第１巻」というコンテンツを無料で利用することができる。「武田晴信  第２巻」及び「武田晴信  第３巻」を利用するためには、ユーザは、それぞれ、アイコン６４及びアイコン６６をクリックして購入手続きを行う必要がある。
【００３４】
ここでは、ユーザが、「武田晴信  第１巻」を無料で閲覧した後、「武田晴信  第２巻」を利用すべくアイコン６４をクリックする。これに応答して、サーバ装置１０は、新たなＨＴＭＬデータを端末装置３０に送信して、図７に示すようなウェブページを端末装置３０に表示させる。
【００３５】
図７に示すように、ウェブページは、「タスクを実行すれば、『武田晴信  第２巻』は無料でご覧頂けます。タスクを実行しますか？」という、タスクの実行を行うか否かを問うメッセージを表示する。これに対して、ユーザが、タスクの実行を許可すべくアイコン７２をクリックする。
【００３６】
ＳＴ５２では、サーバ装置１０は、さらに新たなＨＴＭＬデータを端末装置３０に送信して、図８に示すようなウェブページを端末装置３０に表示させる。このＨＴＭＬデータには、ＳＴ５０においてサーバ装置１０により生成された指示メッセージが含まれている。これにより、ＳＴ５３において、サーバ装置１０は、「３０秒後に『ＡＣＣＥＳＳ』と入力して下さい。」という指示メッセージを端末装置３０に表示させることができる。すなわち、サーバ装置１０は、「ＡＣＣＥＳＳ電子書房」というサービスを想起させる「ＡＣＣＥＳＳ」というキーワードに関連したタスク（具体的には「ＡＣＣＥＳＳ」というキーワードを入力するというタスク）を「３０秒後」という特定の時間に実行することをユーザに指示する指示メッセージを端末装置３０に表示させることができる。アイコン８０には、タスクを実行するまでの待ち時間を示すタイマーが表示される。アイコン８０に表示された３０秒という待ち時間は時間の経過とともに減少していく。
【００３７】
ＳＴ５４では、図９に示すように、ユーザは、アイコン８０に示された待ち時間が０になった後に、アイコン８２に「ＡＣＣＥＳＳ」というキーワードを入力してアイコン８４をクリックする（これに代えて、ユーザは、「ＡＣＣＥＳＳ」というキーワードを音声により入力してもよい）。端末装置３０は、そのようなユーザの操作に対応する情報（例えば、入力されたキーワードを識別する情報、及び、ユーザがキーワードを入力した日時を識別する情報等を含む情報）を、図８に示した画面が最初に表示された日時（開始時間）を識別する情報とともに、サーバ装置１０に送信する。
【００３８】
ＳＴ５５では、サーバ装置１０は、ＳＴ５４において端末装置３０から受信した情報に基づいて、ユーザがキーワードを入力した時間が指示メッセージにおいて指定された特定の時間であるか否かを判定する。具体的には、サーバ装置１０は、ユーザがキーワードを入力した日時から、図８に示した画面が最初に表示された日時（開始時間）を引くことにより、ユーザが、図８に示した画面が最初に表示された日時からどれだけの時間を経過した後にタスクを実行したのかを認識することができる。サーバ装置１０は、このように認識した時間と、記憶部１５０に（ＳＴ５０において）記憶された時間識別情報から識別された特定の時間（３０秒後）とを比較することにより、ユーザがタスクを実行した時間が特定の時間（３０秒後という特定の時間帯）であるか否かを判定することができる。
さらに、サーバ装置１０は、ユーザにより入力されたキーワードを識別する情報と、記憶部１５０に（ＳＴ５０において）記憶されたタスク識別情報から識別されたキーワードとを比較することにより、ユーザが適切なキーワードを入力したか否かを判定することもできる。
【００３９】
このような判定の結果、サーバ装置１０が、ユーザが適切なタスクを実行していないと判定した場合、又は、ユーザがタスクを特定の時間に実行していないと判定した場合には、処理はＳＴ５４に戻る。逆に、サーバ装置１０が、ユーザが適切なタスクを特定の時間に実行したと判定した場合には、処理はＳＴ５６に移行する。
【００４０】
ＳＴ５６では、サーバ装置１０（の情報提供部１４０）は、タスクを適切に実行したユーザに対して付加的な情報を報酬として送信する。具体的には、サーバ装置１０は、タスクを適切に実行したユーザに対して、図６等に示した本来であれば有料である「武田晴信  第２巻」というコンテンツを無料で提供する。
【００４１】
なお、図８には、サーバ装置１０が、特定の時間として「３０秒後」という特定の時間帯を用いる例が示されているが、サーバ装置１０は、図８に代えて、図１０に示すように、特定の時間として「２０１４年９月５日」という特定の日付を用いることもできる。すなわち、図１０に示すように、サーバ装置１０は、ユーザに対して、「ＡＣＣＥＳＳ」というキーワードの入力を「２０１４年９月５日」に実行するように指示する指示メッセージを送信してもよい。この場合、アイコン１０８には、キーワードを入力するまでの待ち時間（時間の経過とともに減少していく）を表示されるものとすることができる。この例では、サーバ装置１０は、ＳＴ５０に関連して説明した記憶部１５０に記憶される時間識別情報として、２０１４年９月５日を識別する情報を用いる。サーバ装置１０は、ユーザがキーワードを入力した時間を識別する情報を端末装置３０から受信し、この時間と、記憶部１５０に記憶された時間識別情報とを比較することにより、ユーザがキーワードの入力を特定の時間に実行したか否かを判定することができる。
【００４２】
このように、本発明の様々な実施形態によれば、サーバ装置１０は、ユーザに対して、タスクの実行を課した後に直ちにそのタスクを実行させるのではなく、所定の時間が経過した後にタスクの実行をさせる。これにより、ユーザは、少なくとも上記所定の時間の間、タスクを忘れないように心の中でそのタスクを記憶しようと試みる。そのタスクは、広告対象の商品又はサービスを想起させる単語又は文章に関連するものであるので、ユーザは、少なくとも上記所定の時間の間、広告対象の商品又はサービスについて思考する可能性が高くなる。したがって、本発明の様々な実施形態によれば、広告対象のサービス又は商品に対するユーザの想起率を向上させることに寄与する広告システムを提供することができる。
【００４３】
次に、別の実施形態について図１１を参照して説明する。図１１は、本発明の一実施形態に係る広告システムにより実行される広告サービスの別の具体例を示すフロー図である。なお、図５と同様の処理については、その詳細な説明を省略し、図５と異なる処理のみに着目して説明する。
この実施形態では、サーバ装置１０は、複数の特定の時間のうちユーザにより選択された特定の時間にタスクを実行させることができる。
【００４４】
ＳＴ５０’では、サーバ装置１０は、各ユーザにタスクを実行させる特定の時間として、複数の時間（ここでは一例として、「３０分後」、「６０分後」及び「９０分後」）を登録し、これらの登録した複数の特定の時間を識別する「時間識別情報」が、上述した「タスク識別情報と、上述した「指示メッセージ識別情報」と、を対応付けて記憶部１５０に記憶する。サーバ装置１０は、タスク識別情報及び時間識別情報を含む指示メッセージを生成する。
【００４５】
ＳＴ５１及びＳＴ５２については、上述したとおりである。
ＳＴ５３’では、サーバ装置１０は、図８に示すような指示メッセージに代えて、図１２に示すような指示メッセージを端末装置３０に表示させる。具体的には、サーバ装置１０は、「３０分後、６０分後、又は、９０分後（いずれかを選択）に『ＡＣＣＥＳＳ』と入力して下さい。」という指示メッセージを端末装置３０に表示させる。
【００４６】
ＳＴ１１０では、ユーザは、指示メッセージにおいて提示された複数の（３つの）特定の時間のうちいずれかを選択する。ここでは、ユーザは、図１２に示すように、アイコン１２２をクリックして、特定の時間として「６０分後」を選択する。このように選択された特定の時間を識別する情報がサーバ装置１０に送信される。サーバ装置１０は、時間識別情報がユーザにより選択された特定の時間（「６０分後」）を識別するように、記憶部１５０に記憶された時間識別情報を更新する。
一方、端末装置３０では、図１２に示すアイコン１２２をクリックした後、図１３に示すような画面が表示される。すなわち、サーバ装置１０は、「６０分後に『ＡＣＣＥＳＳ』と入力して下さい。」という指示メッセージを端末装置３０に表示させることができる。具体的には、サーバ装置１０は、「ＡＣＣＥＳＳ電子書房」というサービスを想起させる「ＡＣＣＥＳＳ」というキーワードに関連したタスク（具体的には「ＡＣＣＥＳＳ」というキーワードを入力するというタスク）をユーザにより選択された「６０分後」という特定の時間に実行することをユーザに指示する指示メッセージを端末装置３０に表示させることができる。アイコン１３８には、タスクを実行するまでの待ち時間を示すタイマーが表示される。アイコン１３８に表示された６０分という待ち時間は時間の経過とともに減少していく。
【００４７】
ＳＴ５４では、図１３に示すように、ユーザは、アイコン１３８に示された待ち時間が０になった後に、アイコン１３８に「ＡＣＣＥＳＳ」というキーワードを入力してアイコン１３２をクリックする（これに代えて、ユーザは、「ＡＣＣＥＳＳ」というキーワードを音声により入力してもよい）。端末装置３０は、そのようなユーザの操作に対応する情報（例えば、入力されたキーワードを識別する情報、及び、ユーザがキーワードを入力した日時を識別する情報等を含む情報）を、図８に示した画面が最初に表示された日時（開始時間）を識別する情報とともに、サーバ装置１０に送信する。
【００４８】
ＳＴ５５では、図５を用いて説明したように、サーバ装置１０は、ユーザがタスクを実行した時間が特定の時間（６０分後という特定の時間帯）であるか否かを判定することができる。このような判定の結果、サーバ装置１０が、ユーザが適切なタスクを実行していないと判定した場合、又は、ユーザがタスクを特定の時間に実行していないと判定した場合には、処理はＳＴ５４に戻る。逆に、サーバ装置１０が、ユーザが適切なタスクを特定の時間に実行したと判定した場合には、処理はＳＴ１１２に移行する。
【００４９】
ＳＴ１１２では、サーバ装置１０がユーザに付加的な情報を報酬として送信することは図５を参照して説明した実施形態と同様であるが、さらに、サーバ装置１０は、複数の特定の時間のうちより遅い特定の時間を選択したユーザに対しては、より高い価値を有する付加的な情報をユーザに提供し、逆に、複数の特定の時間のうちより早い特定の時間を選択したユーザに対しては、より低い価値を有する付加的な情報をユーザに提供することができる。具体的には、サーバ装置１０は、より遅い特定の時間を選択したユーザ（例えば、図１２において「６０分後」というアイコン１２２をクリックしたユーザ）には、「武田晴信  第２巻」に加えて「武田晴信  第３巻」をも提供し、これよりもさらに遅い特定の時間を選択したユーザ（例えば、図１２において「９０分後」というアイコン１２４をクリックしたユーザ）には、「武田晴信  第２巻」に加えて「武田晴信  第３巻」及び「武田晴信  第４巻」をも提供してもよい。或いは、サーバ装置１０は、より遅い特定の時間を選択したユーザには、モノクロ版（又は低解像度）の「武田晴信  第２巻」に代えて又はこれに加えて、カラー版（又は高解像度）の「武田晴信  第２巻」を提供してもよい。
また、サーバ装置１０は、別の実施形態では、広告対象の商品又はサービスを想起させる単語又は文章に関連したタスクを「３０秒後」、「６０秒後」及び「９０秒後」に入力したユーザには、それぞれ、無料コンテンツを１本、２本及び３本提供する（又は、無料コンテンツを３０分間、６０分間及び９０分間視聴できる）ようにしてもよい。また、
或いはまた、サーバ装置１０は、さらに別の実施形態では、広告対象の商品又はサービスを想起させる単語又は文章に関連したタスクを「３０秒後」、「６０秒後」及び「９０秒後」に入力したユーザには、くじを実施するアプリケーションを１回実行させ、それぞれ、０.０００１％、０.０００２％及び０.０００３％の当選確率を付与するようにしてもよい。
さらにまた、サーバ装置１０は、さらに別の実施形態では、広告対象の商品又はサービスを想起させる単語又は文章に関連したタスクを「３０秒後」、「６０秒後」及び「９０秒後」に入力したユーザには、それぞれ、くじを実施するアプリケーションを１回、２回及び３回実行させるようにしてもよい。
さらにまた、サーバ装置１０は、さらに別の実施形態では、広告対象の商品又はサービスを想起させる単語又は文章に関連したタスクを「３０秒後」、「６０秒後」及び「９０秒後」に入力したユーザには、ゲームアプリケーションにおいて利用可能な仮想的な金銭を、それぞれ、１０００円、２０００円及び３０００円付与するようにしてもよい。
【００５０】
なお、図１２には、ユーザに対して、「３０分後」、「６０分後」及び「９０分後」という複数の特定の時間が提示される例が示されているが、これに代えて、サーバ装置１０は、ユーザに対して、複数の特定の時間として、複数の特定の日付（図１０において例示したような日付）を提示するようにしてもよい。
【００５１】
このように、本発明の様々な実施形態によれば、タスクを実行する特定の時間として提示された複数の特定の時間のうちより遅い特定の時間を選択したユーザには、より高い価値を有する付加的な情報が与えられる。これにより、ユーザは、提示された複数の特定の時間のうちより遅い特定の時間を選択するように動機付けられる。この結果、ユーザは、より長く、広告対象の商品又はサービスを想起させる単語又は文章に関連したタスクについて、より長い期間の間、思考する可能性が高くなる。したがって、本発明の様々な実施形態によれば、広告対象のサービス又は商品に対するユーザの想起率を向上させることに寄与する広告システムを提供することができる。
【００５２】
次に、さらに別の実施形態について図１４を参照して説明する。図１４は、本発明の一実施形態に係るサーバ装置により提供されるウェブサイトの一例を示す模式図である。この実施形態では、サーバ装置１０は、ユーザに対して、単一のタスクではなく複数のタスク（複数のタスクのシーケンス）を実行させることができる。
【００５３】
図１４に例示されるように、ユーザに対して、「ＡＣＣＥＳＳ」というキーワードを入力するタスクを、１２月２日、１２月９日及び１２月１６日という複数の特定の時間のすべてにおいて実行するように指示する指示メッセージが示される。アイコン１４８には、第１タスク（１２月２日に実行すべきタスク）、第２タスク（１２月９日に実行すべきタスク）及び第３タスク（１２月１６日に実行すべきタスク）のそれぞれについての待ち時間（待ち日数）が表示される。
【００５４】
このような実施形態では、サーバ装置１０は、複数のタスク識別情報（図１４に示した例では、それらすべてが同一のタスクを識別するものとなる）の各々に対応付けて、時間識別情報を記憶部１５０に記憶することができる。これにより、サーバ装置１０は、複数のタスクの各々について、これに対応する特定の時間を認識することができる。
なお、用いられる複数のタスクは、必ずしも図１４に示したようにすべてが同一でなければならない訳ではなく、任意のタスクを含むものであってもよい。
【００５５】
また、上述した様々な実施形態において、広告対象の商品又はサービスを想起させる単語又は文章に関連したタスクとしては、例えば、以下のものを含む様々なタスクを用いることが可能である（なお、括弧書きは、そのようなタスクが実行されたことをサーバ装置１０が判定するための手段の一例を示す）。
（１）上記単語又は文章を用いた記事を所定のＳＮＳや電子掲示板に書き込むこと（サーバ装置１０は、これら所定のＳＮＳや電子掲示板のＵＲＬを記憶しておき、定期的にそのＵＲＬに対応するウェブサイトに掲載された記事等の電子データを取得し、これらの電子データの中に、対応するユーザに固有の情報（電子メールアドレス、ＭＡＣアドレス、氏名等）及び上記単語又は文章が存在するか否かを判定する。）
（２）上記単語又は文章を用いて作成した電子メールを所定のアドレス宛に送信すること（サーバ装置１０は、上記所定のアドレス宛に送信されたメールを取得し、このメールの電子データの中に、対応するユーザに固有の情報（電子メールアドレス、ＭＡＣアドレス、氏名等）及び上記単語又は文章が存在するか否かを判定する。）
（３）上記単語又は文章を用いて作成された所定のゲームアプリケーションを実行すること（上記所定のゲームアプリケーションは、ユーザに固有の情報、及び、このアプリケーションが実行された日時を示す情報をサーバ装置１０に送信するように構成される。）
（４）上記単語又は文章を用いて作成されたバナー広告を所定回数アクセスすること（バナー広告を構成するＪａｖａ（登録商標）等のＷｅｂプログラムは、このバナー広告をクリックしたユーザに固有の情報、及び、このユーザがこのバナー広告をクリックした日時を示す情報をサーバ装置１０に送信するように構成される。）
【００５６】
次に、さらに別の実施形態について図１５を参照して説明する。図１５は、本発明の一実施形態に係るサーバ装置により提供されるウェブサイトの一例を示す模式図である。この実施形態では、サーバ装置１０は、ユーザに対して、予め用意された複数の特定の時間（ここでは、一例として、「３０分後」、「６０分後」、「９０分後」及び「１２０分後」という４つの選択肢）からいずれか１つの特定の時間を選択させるとともに、このようにユーザにより選択された特定の時間に実行すべきタスクを、予め設定された複数のタスク（ここでは、「キーワードの入力」、「・・・ウェブサイトへのアクセス」、「・・・ＳＮＳに投稿」及び「・・・メールを知り合いに送信」という４つの選択肢）から選択させる。
なお、図１５には、１つの特定の時間及びこれに対応する１つのタスクをユーザに選択させる例が示されているが、複数の特定の時間、及び、これらの時間の各々について１つのタスクをユーザに選択させるようにしてもよいことはいうまでもない。
さらに、図１５には、予め設定された時間／タスクの候補から所望の時間／タスクをユーザに選択させる例が示されているが、任意の時間／タスクをユーザに入力させる（自己申告させる）ようにしてもよい。
【００５７】
以上説明した様々な実施形態では、サーバ装置１０は、ユーザが所定のタスクを特定の時間に実行した場合にのみ、そのユーザに付加的な情報を報酬として提供する場合について説明した。しかし、別の実施形態では、ユーザが、所定のタスクを特定の時間に実行しなかったとしても、所定のタスクを特定の時間とは別の時間に実行した場合には、その実行の度合いに応じて、ユーザに付加的な情報を報酬として送信することもできる。例えば、サーバ装置１０がユーザに９月５日にキーワードを入力するというタスクを設定したケースを考えると、ユーザが９月３日及び４日にキーワードを１０回入力していた場合には、サーバ装置１０は、そのユーザに対して無料のコンテンツを１０回利用できるという報酬を与えることができる（ユーザが適切にタスクを実行した場合、すなわち、ユーザが９月５日にキーワードを入力した場合には、サーバ装置１０は、当然、より良い報酬、例えば無料のコンテンツを１００回利用できるといったような報酬をこのユーザに付与する）。この場合、サーバ装置１０は、そのユーザが特定の時間ではない他の時間に行ったタスクの回数に応じて、与えるべき報酬の価値を増加させるようにしてもよい。
別の例として、例えば、タスクが「キーワードを入力すること」であり、特定の時間が「３０秒後」である（サーバ装置１０は、ユーザに対して、「３０秒後にキーワードを入力する」旨を指示する指示メッセージを送信する）ケースを考える。ユーザが３０秒後にキーワードを入力した場合には、例えば、サーバ装置１０は、ユーザに対して、電子的なコミックを３本読むことができるという報酬を提供することができる。すなわち、サーバ装置１０は、ユーザに対して、３本の電子的なコミックという付加的な情報を提供することができる。これに対して、ユーザが例えば２９秒後であって３０秒が経過していないタイミングでキーワードの入力を行った場合には、２９秒間待ったことによるユーザに対する広告効果を評価すべく、サーバ装置１０は、ユーザに対して、電子的なコミックを１本だけ読むことができるという報酬を提供してもよい。すなわち、サーバは、ユーザに対して、１本の電子的なコミックという付加的な情報（これは３本の電子的なコミックより低い価値を有する付加的な情報である）を提供することができる。
これらの実施形態では、サーバ装置１０は、各ユーザが所定のタスクをいつ実行したかに関する履歴を各ユーザごとに追跡及び記録する構成（図３において新たな機能ブロック「履歴生成部」）を有するものとすることができる。
【００５８】
また、ユーザが例えば図１３及び図１４等に示された例においてキーワードを入力するまでの待ち時間が比較的長い場合（図１３では待ち時間は６０分、図１４では待ち時間は、８日、１０日及び１７日）には、ユーザは、待ち時間が経過するまでに、ブラウザを終了させたり端末装置３０の電源を切ったりすることによって、そのウェブページから離脱する結果、広告サービスが適切に完了しない可能性がある。そこで、ユーザが端末装置３０を利用して所定のウェブページにアクセスする度に、端末装置３０がブラウザのｃｏｏｋｉｅ又はこれに等価な手段に当該アクセスに関する情報（例えば、ＳＴ５０に関連して説明した「指示メッセージ識別情報」、「タスク識別情報」及び「時間識別情報」等を含む情報）を記憶し、サーバ装置１０は、当該ウェブページにアクセスしてきた端末装置３０のｃｏｏｋｉｅ又はこれに等価な手段から上記アクセスに関する情報を読み込むことによって、ユーザにより特定の時間にタスクが実行されたか否かを判定することができる。
【００５９】
上述した様々な実施形態では、一例として、サーバ装置１０がユーザに電子書籍の提供をする際に広告サービスを提供する構成について説明したが、本発明は、このような構成に限定されるものではなく、サーバ装置１０がユーザに任意のサービスを提供する際に広告サービスを提供するような構成を広く包含するものである。例えば、ある企業内に配置されたサーバ装置が、その企業に所属する各社員の端末装置に電子メールの配信を行うというサービスを提供する際に、所定のプロジェクト（これも広義のサービスである）に関する企画書を提出する期限を各社員に守らせるべく、そのプロジェクトを想起させるキーワードを所定のウェブサイトにおいて入力するというタスクを特定の時間に実行することを各社員に指示する指示メッセージを含む電子メールを各社員の端末装置に送信するような構成もまた、本発明の技術的思想に包含されるものである。各社員は、端末装置を利用してその電子メールに含まれたＵＲＬをクリックして上記所定のウェブサイトにアクセスし、特定の時間に所定のキーワードを入力することにより、上記プロジェクトに対する想起率を高めることができる。
【００６０】
上述した様々な実施形態は、互いに組み合わせて実施することが可能なものである。
【００６１】
本明細書で説明される処理及び手順は、実施形態において明示的に説明されたものによってのみならず、ソフトウェア、ハードウェア又はこれらの組み合わせによっても実現可能なものである。具体的には、本明細書で説明された処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【００６２】
本明細書中で説明される処理及び手順が単一の装置、ソフトウェア、コンポーネント、モジュールによって実行される旨が説明されたとしても、そのような処理又は手順は、複数の装置、複数のソフトウェア、複数のコンポーネント、及び／又は、複数のモジュールによって実行されるものとすることができる。また、本明細書中で説明されるデータ、テーブル又はデータベースが単一のメモリに格納される旨説明されたとしても、そのようなデータ、テーブル又はデータベースは、単一の装置に備えられた複数のメモリ又は複数の装置に分散して配置された複数のメモリに分散して格納されるものとすることができる。さらに、本明細書において説明されるソフトウェア及びハードウェアの要素は、それらをより少ない構成要素に統合して、又は、より多い構成要素に分解することによって実現されるものとすることができる。
【符号の説明】
【００６３】
１０  サーバ装置
２０  通信網
３０  端末装置
１１０  メッセージ生成部
１２０  通信部
１３０  判定部
１４０  情報提供部
１５０  記憶部
１６０  制御部
３１０  通信部
３２０  表示部
３３０  入力部
３４０  記憶部
３５０  制御部
【図１】
2016057744.tif 000003
【図２】
2016057744.tif 000004
【図３】
2016057744.tif 000005
【図４】
2016057744.tif 000006
【図５】
2016057744.tif 000007
【図６】
2016057744.tif 000008
【図７】
2016057744.tif 000009
【図８】
2016057744.tif 000010
【図９】
2016057744.tif 000011
【図１０】
2016057744.tif 000012
【図１１】
2016057744.tif 000013
【図１２】
2016057744.tif 000014
【図１３】
2016057744.tif 000015
【図１４】
2016057744.tif 000016
【図１５】
2016057744.tif 000017